(57)【要約】  本発明は、薬学及び／又は医学的製品１１及び／又はフードサプリメント剤のためのパック１０であり、一つ以上の調合・包装され各々が一つ以上のバラになった製品１１を、限定された期間分を患者に指定時間すなわち服用時間のための指示を提供する製品キャリア１６が取り付けられた基板１４を備え、各々の製品キャリア１６は、特別な投薬量における特別の作用成分又は作用成分の特別な組み合わせの製品１１を専用的に含み、各々の製品キャリア１６は、巻かれ得る単一のブリスタストラップ事前パックの部分を形成し、一つ以上のバラになった製品１１を含む製品キャリア１６は、個々の患者について基板１４に組み込まれている。更に、本発明は、パックの製造についての方法及び装置に関するものである。
2009520536.tif 000002
【特許請求の範囲】
【請求項１】
薬学及び／又は医学的製品（１１）及び／又はフードサプリメント剤のためのパック（１０）であり、
一つ以上の調合・包装され各々が一つ以上のバラになった製品（１１）を、限定された期間分を患者に指定時間すなわち服用時間のための指示を提供する製品キャリア（１６）が取り付けられた基板（１４）を備え、
各々の製品キャリア（１６）は、特別な投薬量における特別の作用成分又は作用成分の特別な組み合わせの製品（１１）を専用的に含んでいるパックであって、
各々の製品キャリア（１６）は、巻かれ得る単一のブリスタストラップパックの部分を形成し、一つ以上のバラになった製品（１１）を含む製品キャリア（１６）は、個々の患者について基板（１４）に組み込まれていることを特徴とするパック。
【請求項２】
請求項１によるパックであって、
前記基板（１４）は、ブリスタ複合体（１９）を支持又は形成し、前記製品を特定するブリスタストラップパックの幾つかのセクション（１７）が、一つ以上の製造業者からの作用成分又は作用成分の異なるバラになった製品（１１）からなり、基盤（１４）に適用されていることを特徴とするパック。
【請求項３】
請求項２によるパックであって、
各ブリスタストラップパック又は各セクション（１７）の各ネスト（１８）は、一つの製品（１１）が精密に配置されていることを特徴とするパック。
【請求項４】
請求項１乃至３のいずれかによるパックであって、
製品キャリア（１６）又はセクション（１７）は、基板（１４）に固着接続されていることを特徴とするパック。
【請求項５】
請求項４によるパックであって、
製品キャリア（１６）又はセクション（１７）は、基板（１４）に貼り付けされていることを特徴とするパック。
【請求項６】
請求項１乃至５のいずれかによるパックであって、
基板（１４）はパックの周辺に分離可能に配置されていることを特徴とするパック。
【請求項７】
請求項１乃至６のいずれかによるパックであって、
各製品キャリア（１６）は、基板（１４）とカバー要素（２１）との間に配置されていることを特徴とするパック。
【請求項８】
請求項１乃至７のいずれかによるパックであって、
前記基板（１４）又は製品キャリア（１６）は、週日についての情報（１２）と製品（１１）の服用時間の情報（１３）が示されていることを特徴とするパック。
【請求項９】
請求項１乃至８のいずれかによるパックであって、
前記基板（１４）上に患者（２３）及び／又は製品（１１）及び／又は製造者についての情報が示されていることを特徴とするパック。
【請求項１０】
請求項８又は９によるパックであって、
情報（１２，１３，２３）は、読みやすい正確な字体及び／又はコードがパック（１０）に示されていることを特徴とするパック。
【請求項１１】
請求項１乃至１０のいずれかによるパックであって、
基板（１４）にはデータ及び／又は情報のメモリのための電子部品（２５）が、取り付けられていることを特徴とするパック。
【請求項１２】
請求項１乃至１１のいずれかによるパックであって、
パックは自動的に製造されていることを特徴とするパック。
【請求項１３】
薬学及び／又は医学的製品（１１）及び／又はフードサプリメント剤のためのパックを製造する方法であって、
基板（１４）を準備し、
限定された期間の患者個人の製品（１１）を選択し、
巻かれ得る単一のブリスタストラップパックから包装された製品キャリア（１６）を切り離して患者個人の製品（１１）を選択し、
この際、各々の製品キャリア（１６）は、特別な投薬量における特別の作用成分又は作用成分の特別な組み合わせの一つ以上のバラされた製品（１１）のそれぞれを支持し、
患者の個々のデータによる基板（１４）に分離された製品キャリア（１６）を自動的に位置決め固定することを特徴とする方法。
【請求項１４】
請求項１３による方法であって、
前記製品を特定するブリスタストラップパックの幾つかのセクションを適合させることによって、ブリスタ複合体（１９）を形成し、ブリスタ複合体（１９）が、異なる製造業者の製品（１１）を持つ製品キャリア（１６）で形成され得ることを特徴とする方法。
【請求項１５】
請求項１３又は１４による方法であって、
製品キャリア（１６）は、基板（１４）に貼り付けされていることを特徴とする方法。
【請求項１６】
請求項１３乃至１５のいずれかによる方法であって、
基板（１４）上の製品キャリア（１６）の位置及び固定を行った後、カバー要素（２１）と基板（１４）との間に製品キャリア（１６）が、配置されることを特徴とする方法。
【請求項１７】
請求項１３乃至１６のいずれかによる方法であって、
前記基板（１４）又は製品キャリア（１６）は、週日についての情報（１２）と服用時間についての情報（１３）のマークが付けられていることを特徴とする方法。
【請求項１８】
請求項１３乃至１７のいずれかによる方法であって、
前記基板（１４）上に患者（２３）及び／又は製品（１１）及び／又は製造業者についての情報が印刷されていることを特徴とする方法。
【請求項１９】
請求項１３乃至１８のいずれかによる方法であって、
製造及び／又は製品の情報が前記基板の電子部品（２５）から読み取れることを特徴とする方法。
【請求項２０】
請求項１３乃至１９のいずれかによる方法であって、
患者個人の製品（１１）の選択が処方箋に基づいて生じることを特徴とする方法。
【請求項２１】
請求項１３乃至２０のいずれかによる方法であって、
パック（１０）が自動的に製造されていることを特徴とする方法。
【請求項２２】
請求項１３乃至２１のいずれかによる方法であって、
コンピュータ補助で行われていることを特徴とする方法。
【請求項２３】
請求項２１又は２２のいずれかによる方法であって、
患者情報が、医者又は薬局又はクリニック又はその他の有資格者から、パック（１０）を編成するための装置（２７）に直接オンライン伝送されることを特徴とする方法。
【請求項２４】
請求項１乃至１２のいずれかによるパック製造装置であって、
隙間（２９）を形成している個々の基板（１４）の配送と移動のための輸送要素（２８）と、
ブリスタストラップ又は類似物すなわち分離・包装された製品（１１）の保持位置（３１）を有し、
この際、それぞれの保持位置（３１）には、ブリスタストラップからの製品キャリア（１６）又はセクション（１７）を分離するための分離手段が設けられ、
基板（１４）上の配送位置についての準備位置部（３３）から分離された製品キャリア（１６）又はセクション（１７）から輸送についてのマウント用ヘッド（３０）を更に有することを特徴とする装置。
【発明の詳細な説明】
【技術分野】
【０００１】
この発明は、薬学及び／又は医学的製品及び／又はフードサプリメント剤のためのパックに関するもので、一つ以上の予め調合・包装され各々が一つ以上のバラになった製品を限定分を患者に指定時間すなわち服用時間のための指示を提供する製品キャリアが取り付けられた基板を備え、各々の製品キャリアは、特別な投薬量における特別の作用成分又は作用成分の特別な組み合わせの製品を専用的に含んでいるパックに関するものである。更に、本発明は、前記パックの製造についての方法及び装置に関するものである。
【背景技術】
【０００２】
しかし、薬学及び／又は医学的製品及び／又はフードサプリメント剤（次に製品として関するもの）のための、錠剤、アンプル、ビタミン調合薬剤は、注射器又はその類似物さえも異なる重要な必要な物に言及する。一方では、患者は、薬の投与すなわち製品の使用を楽にすることを絶えず、努力している。そのために存在するパックは、薬の配量及び同一投与による適した取出補助によって、パックから製品の単純化（簡略化）された取り出し以外で患者を支援する。公知の見出し語「簡便」又は［老人に優しい］（SF）の見方がある。他に該当する見方は、「子供の安全」（CR）があり、子供の安全性が高まる。そのため、流布したパックは、資格のない取り出しに対して異なる措置によって、特に、子供に安全である。
【０００３】
しかしながら、薬学的や医学的な製品に限って、特別に重要な処方される薬物の遵守の信頼性が支援されるべきである。一又は多数の異なる薬が、パックの中で、同時に、又は、一緒に配置され、カレンダ及び時刻表示によって必要な使用すなわち投与時刻が記載されるとき、患者は、その処方された薬物が信頼できる服用であることが判明した。例えば、アンチバクテリアについて同時の胃の懸垂部の調合剤を服用することを追加する。この装置、乃至、週日及び日時の後の薬の編成は,患者を楽にし、特に、特別に重要な慢性病気の患者のためのものである、処方された薬が信頼性を持って服用される。
【０００４】
市場には公知で入手可能なパックは、一又は多数の製品の患者個人の編成が保証される。そのため、製品は、原製品として直接か又は、一つのパックから離脱後、対応する患者個人のパックに、例えば、パックすなわち分野的にパックユニットに充足される。しかしながら、非常に高いコストについて行われていることを、定義された純粋なスペース条件の下で薬学的な分野の力を持つ充足を成さなくてはいけないことが、事前にセットされる。他方について、部分的にマニュアルで離脱パック及び新品に取替されたパックは、作業ステップの多数により誤りが広がりやすく、費用がかかって、高価で、製品の機械的な荷重を負わせる。とろこで、離脱パックの後、原製品からのパック、及び原製品からの取り扱いは、多大な出費を充足するのに適用される特別正当な範囲条件を意味する。公知で上記された方法によって製造されたパックは、場合によっては、受け入れスペースに多数の異なる製品／錠剤が、例えば、ブリスタパック又は類似物の一袋、ホース袋、ネストのように配置されている。しかしながら、これは、横接触の危険のために、特に、欠点である。このような横接触を避けるために、製品が個々に閉じた状態にパックを配置するのに労力が要る。これは、製品が分離し、パックユニット又はブリスタパックのネストの分野で配置され、こうして患者のためにパックされ予定されたパックが調整のために編成されたことを意味する。
【０００５】
欧州特許出願公開第０８５２２０８号明細書から、とりあえず、錠剤容器は、請求項１の上位概念の特徴と共に、公知である。このパックは、基板を有し、包装された製品キャリアにおける幾つかのバラされた製品から配置され、この際、同一の作用物質乃至同一の作用物質の組み合わせの配量がパーキンソン病用で徐々に（１．一つの錠剤の日、２．一つの錠剤の日、３．二つの錠剤の日、４．三つの錠剤の日等）増大する。製品は、平面のブリスタにおいて事前に製造済である。そのため、このようなブリスタは、多数の割れ目及び多数の行列（行又は列）、例えば、２ｘ５ブリスタを持つ。これは、ブリスタトレー／ブリスタマガジンの密閉されたネストにおける個々の製品が置かれていることを意味する。密閉は、各々の製品が周囲に対するネストの中で、全般的に取り囲まれ、その結果、影響（機械の荷重又はその他の汚染、特に、生物学的又は科学的接触）以外に対する製品が保護されるという関連を意味する。それにより、ブリスタトレー／ブリスタマガジンから譲り渡された製品キャリアは、一又は多数の分離したばらばらの製品を内包する。それから、この製品キャリアは、セラピー特定のパックについて編成される。いま話した欠点に比べ、純粋な製品のセラピー特定の編成は、そのような不適当な経費の可能性のあるパックの自動製造で、平らで多行のブリスタトレーから分離した個々の製品キャリアは、異なる方向に生じてしまう。上記の特許文献１において記載されたパックは、専らセラピー特定編成され、自動だが不経済に製造可能である。
【特許文献１】欧州特許出願公開第０８５２２０８号明細書
【発明の開示】
【発明が解決しようとする課題】
【０００６】
本発明の根底を成す課題は、運搬するための安全で原価コストの安い患者個人のパックを提供することにある。他の本発明の課題は、パックの製造についての対応する方法及び装置を提供することにある。
【課題を解決するための手段】
【０００７】
この課題は、各々の製品キャリア（１６）は、巻かれ得る単一のブリスタストラップパックの部分を形成し、一つ以上のバラになった製品（１１）を含む製品キャリア（１６）は、個々の患者について基板（１４）に組み込まれていることを第１に挙げた特徴とするパックという本発明の構成により、解決される。それにより、特に、簡単でコストが有利な方法により患者個人のパックが作られ、そのパック乃至基板は、個々又は多数の異なる製品を自由に選択され得る分量で配置される。
各々の患者のためにパックは自由選択可能な服用の日時を異なるように出され得る。決定的メリットがあるのは、真の製造から患者による開口／服用までの製品が保護され、シールされた製品キャリアにおける患者個人のパックの編成の時及びその後、製品自体が位置し、従って、機械や周囲の他の影響が設定されなく、横接触の恐れもない。問題は、原製品と一緒に操作時に、パックと共に回避でき、簡単な技術及び方法から無菌の編成が保証される。しかし、これは、異なる製品が異なる製造業者から第３者から一緒に引き合わされる。それによって、各々の製品キャリア部は、巻き上げ可能でシングルレーンのブリスタパックであり、パックが簡単な手段と共に自動生産させて、個々のパックの時ですら（パック無しはその他同じでなくてはいけない）、生産者のパックの個数のため、相当経済的なメリットが提供される。
【０００８】
上記した中で、特に、前記基板（１４）は、ブリスタ複合体（１９）を支持すなわち形成し、前記製品を特定するブリスタストラップパックの幾つかのセクション（１７）が、一つ以上の製造業者からの作用成分又は作用成分の組み合わせの製品（１１）を異なるバラになった製品（１１）からなり、基板（１４）に適用される構成により、運搬、すなわち、形成されても良い。本発明のパックは、特に簡単な構成で幾つかの製造業者が結合し患者個人によって提供するパックの製品を最初の一般的パックとして製造される。
【０００９】
有利な構成では、各ブリスタストラップパックの各ネスト（１８）は、各ブリスタストラップパックの各セクション（１７）であって、一つの製品（１１）に精密に配置されていることを特徴とするパックであっても良い。従って、更なる横接触を回避することの他に製品の磨耗が相互に防止される。各々の製品は、任意で最大に保護される。
【００１０】
本発明の好ましい実施例では、パックが自動生産される。それにより、製品の誤りの乏しい生産は、パックのために保証され、その結果、誤投薬が回避される。自動製造は、パックの必要な経済性のための配慮である。
【００１１】
他の課題を解決するための構成として、薬学及び／又は医学的製品（１１）及び／又はフードサプリメント剤のためのパックを製造する方法であって、基板（１４）を準備し、限定された期間分の患者個人の製品（１１）を選択し、選択され患者個人の製品（１１）を持つ調合・包装された製品キャリア（１６）を巻かれ得る単一のブリスタストラップパックから切り離し、この際、各々の製品キャリア（１６）は、特別な投薬量における特別の作用成分又は作用成分の特別な組み合わせの一つ以上のバラになった製品（１１）のそれぞれを支持し、患者の個々のデータによる基板（１４）にバラになった製品キャリア（１６）を自動的に位置決め固定することを特徴とする方法が良い。この方法によって、特に、単純な方法で、患者個人のパックが経済的に生産され、パック無しの個々の製品及び更新されたパックが望ましい量でブリスタパックから別々で、ブリスタ複合体の形成のために、編成可能である。従って、製品が絶え間なく保証され、それ故、製造から患者による取り出しまでのブリスタパックのネスト内に位置決めされ、薬学製品／医学的製品から製造者のない第３者による患者特定のパックのための製品製造は、生じ得る。従って、エンドパックの製造時に可撓性が上げられる。巻き上げ可能なブリスタベルトから製品の準備によって、特に簡単な機械が流布し、特に簡単な編成は、異なる製品を異なる製造業者からパックの製造のための装置に保証される。
【００１２】
本発明の課題解決のための構成として、隙間（２９）を形成している個々の基板（１４）の配送と移動のための輸送要素（２８）と、ブリスタストラップ又は類似物すなわち分離・包装された製品（１１）の保持位置（３１）を有し、この際、それぞれの保持位置（３１）には、ブリスタストラップからの製品キャリア（１６）又はセクション（１７）を分離するための分離手段が設けられ、基板（１４）上の配送位置についての準備位置部（３３）から分離された製品キャリア（１６）すなわちセクション（１７）から輸送についてのマウント用ヘッド（３０）を更に有することを特徴とする装置であっても良い。
【００１３】
本発明のパック及びその装置並びに方法の更なる有利な特徴及び更なる構成は、特許請求の範囲及び以下の詳細な説明に記載されている。パック及び装置並びに製造方法は添付図面を参照して説明される。
【発明を実施するための最良の形態】
【００１４】
本発明の薬学及び／又は医学的製品及び／又はフードサプリメント剤のためのパックに関するものである。パックは、錠剤、薬の類似物の内包のために使用する。
【００１５】
図示された本発明のパック１０は、限定された期間についての製品１１を供給し、このとき、個々のセラピー、特に、慢性の病気の患者によっては、非常に長い期間を経由して長引くことがあり得る。そのため、期間は、週間カレンダ１２としての図示された記述における期間が限定され得る。しかし、パック１０の月間又は4半期について供給され得る。パック１０は、期間について追加する指摘、すなわち、実際の使用乃至服用時点についての情報１３を待っている。
【００１６】
パック１０は、厚紙、プラスチック又は他の適正な材料から成り得る基板１４を備える。基板１４は、平面要素１５として実施例で形状について例示されているように挙げられた起伏パックが形成され、平らであり得る。上述された週間カレンダ１２乃至情報１３は、圧力、刻印類似物によって、特に、隙間として存在する基板１４が割れる。基板１４は、分割及び行列において、穿孔又はその他の材料脆弱性を持ち、部分的分離のために個々の部分や分割を簡略化する。
【００１７】
基板１４上では、レセプトや薬局の義務があって、自由に入手可能な製品１１が配置されている。この製品１１は内部がキャリア１６で製品保護されている。キャリア１６は、前もって作られた（明示して図示せず）パックタイプ、特に、ブリスタパックの在庫の部品である。事前に既成の製品キャリア１６は、ブリスタパックの分離によってセクション１７で細分され、この際、各々のセクション１７は、専用の製品１１を、典型的すなわち正確には、特定される作用物質又は特定される作用物質組合せを定義された服用量と共に有する。製品キャリア１６、すなわちセクション１７には、ブリスタパックで普通にそんなに列挙されたネスト１８を有し、個々の製品１１の内包のパックが形成される。各々のネスト１８は、異なって絞り出され、単に唯一の区分１１が配置されている。特に、製品キャリア１６の各々の製品１１には、個々に対応する光コードが一義的に特徴付けられている。ネスト１８は、フォイル（箔）２６又は類似物によって覆われシール（閉鎖）され、その結果、周囲に対して完全に遮蔽されている。個々の製品キャリア１６乃至対応するセクション１７は、基板１４とブリスタ複合体１９を形成する。それ故、そのようなブリスタ複合体１９は、ブリスタベルトから分離される多数のセクション１７を有し、この際、一又は多数の製造者から同一又は異なる（異なるブリスタベルトから）製品１１を内部に含むことが可能である。セクション１７は、分割及び行列が投与のため適正に配置され、この際、第1の
セクション１７は、ネスト１８内にハウジングのサンプル毎に、例えば、薬A及び第２のセクション１７が、一又は多数で別々に相互にネスト１８内ハウジングのサンプル、薬B毎に一又は多数の別々に相互が有する。行列の数は、及び分割の数は、一日にｘ回の服用及びｙ日経由で達する服用期間にほとんど対応する。
【００１８】
要求、必要物、又はレセプトの後の毎に、製品１１が個々に選択されていて、その都度、基板１４の製品キャリア１６に調達される。そのため、製品キャリア１６乃至セクション１７は、基板１４に、例えば、熱貼付又は類似物によって固定接続されている。しかし、他方の普通の取り付けの可能性、すなわち、挟み込み等によって同様に可能である。基板１４自体は、パック１０として作用し得る。しかし、基板１４は、パック上又は内に配置される。特に、基板１４又は製品キャリア１６は、基板の保持される部分が溶解可能にパックに配置され、その結果、場合によっては好ましくは電子的付与装置が、供給可能である。パック１０は、SF及びCRが達成可能である。
【００１９】
基板１４は、製品１１が製品キャリア１６に外部加圧可能である穿孔すなわち事前穿孔済の範囲を有し得る。図６のように、取り出すためには、この範囲には、開口２０が形成され得る。製品キャリア１６乃至セクション１７は、基板１４の一つの側（上側又は下側）に位置している。他の側に製品キャリア１６は、天井要素２１によって少なくとも部分的に覆われている。このような場合には、製品キャリア１６は、天井要素２１と基板１４との間にサンドイッチされて位置している。それにより、天井要素２１は、ネスタ１８が製品１１で突き出ている、同様に、開口２２を有する（特に図６参照）。しかし、パック１０は、基板１４上に独力で配置された製品キャリア１６がそれから形成され得るという指摘がある。他方、製品キャリア１６は、一方の側の厚紙又は類似物、すなわち、基板１４から、又は、両方の側の厚紙又は類似物、すなわち、基板１４及び天井要素２１から絞り出され、少なくとも、部分的に覆われる。
【００２０】
このような天井要素２１は、製品キャリア１６乃至セクション１７を基板１４に対して上下互いに固定及び位置決めとして追加させる。
【００２１】
パック１０には、更なる情報２３が分類され、この際、情報２３は、基板１４又パック１０の他の面にパックカードとして加入され重ね刷り形式で配置されている。例えば、個々の薬についての情報は、製造業者または他の関連通知のために嵌込仕切りに取り出し可能に嵌め込まれるか又はカタログとしてまたは小本がパック１０に貼付される。患者のデータについての課題は、手本として、ここに患者写真が使用され、製品１１の生産、治療する医者、権限のある薬局、健康保険、生産された詰め替え、分配者、及び更に取り違えようのない分類のためやフィードバック追跡等、必要なデータ並びログ及び製造者のマーク及び他の情報がパック１０にプレスされ得る。情報１２，１３、２３は、貼付、プレスや刻印又は刻印（例えば、点字）又は他の公知の方法で調達される。この際、情報１２，１３、２３の位置は、製品キャリア１６等が、特に、基板１４に側面から配置され得る。決算技術の理由から追加可能で、パック１０上の連続番号又は類似物は、形成され得る。パック１０には、データキャリア、オーディオ、又は他のメディアが添付される。
【００２２】
幾つかの情報は、特に、パック１０の内容について、簡単な試験／制御の目的について、すなわち、調整について、レセプトと共に、パック１０上にバーコード２４又は類似物としてコードされた形状で配置されている。原則的には、全ての情報１２，１３、２３は、読みやすい本物の文字やコーディングとして、例えば、発光物質特徴と共に、形成され得る。パック１０は、特にメモリを持つ電気構成要素２５を追加し得る。電気構成要素２５によって、受信又は類似物が制御の目的で外部システムについての通信に従うことが可能である。
【００２３】
前記パック１０は、手作り又は自動的に製造され得る。それにより、パックタイプは、例えば、製造業者のそれ自身の製品を持つパック１０や製造業者の作用物質の異なる服用量を持つパック１０又は異なる製造業者の製品を持つパック１０が、形成し得る。任意の他の組み合わせが場合によっては可能である。選択された例は次に説明される。
【００２４】
図1乃至５には、その都度、週配給が定められた患者のために内容のパック１０を取り出す。そのため、図１に従ったパックでは、例えば、可能なセラピー計画が、日に、目下、異なる服用量で異なる製造業者の６の異なる製品（AからF）が変化する慢性病気の継続セラピーによって図示されている。製造業者についての隣の情報は、パック１０が製品を指摘（特に、図２参照）によって、保持されている。図３に示すパック１０では、製造業者からの作用物質及び服用量が一致している。製造業者の申し立てが、パック１０上で薬自身（名前、作用物体、服用量等）についてまだの申し立てによって代替的で追加的に決定される。図３に示すパック１０から、セクション１７の隣りには、一つ又は二つのネスト１８と共に、通り抜けた区分ストライプ（月曜から水曜日まで8時ゼロ分に時計の行列）によってマトリックス内に設けられているのは、明白である。図４に示したパック１０において、二つの薬が異なる製造業者を編成する。図５に示すパック１０は、患者を個々に３つの異なる製造業者から３つの異なる製品（製造業者Aの薬I、製造業者Bの薬II、及び製造業者Cの薬III）が用意されている。更に製造業者Aの薬Iが、パック１０の在庫部品の少ない服用量（服用時点２０．００時）における同一の作用物質と共に、追加される。それに従って、医者及び編成方法は、任意（自由にプログラム可能）で、たとえば、ビタミン調合薬剤、栄養生産物質（フードサプリメント剤）等が生産され得る。
【００２５】
図７では、装置２７が上記パック１０の製造業者について例示されている。装置２７は、基板１４が形成される個々の隙間２９を配送するための運搬要素２８を有し、装置２７により、マウント用ヘッド３０を通過する。しかし、特に、輸送要素２８の両側について、ロール３２のためのピックアッププラザ（受け取り場所）３１、マガジン又はその類似物が、設けられている。この際、ロール３２、マガジン又はその類似物が、好ましくはロールされたブリスタを製品１１のために支持する。マウント用ヘッド３０は、好ましくは中央に配置され、ブリスタベルトから分離された製品キャリア１６すなわちセクション１７は、準備位置部３３から基板１４上の申立位置部につて作用する。装置２７は、ブリスタベルトから分離されたプロダクトキャリア１６、すなわち、セクション１７によって、分離手段のピックアッププラザ３１のために有する。装置２７の出口方向のTは、情報１２，１３、２３によってパック上で現れる印刷部３４が配置されている。マウント用ヘッド３０は、多数の可動軸（直線のX,Y、Z軸、すなわち、3軸）を持ち、直線上で任意や、円軌道上に可動で、個々の製造者への注文の自動機及び個々の動作についての制御部を持つ。特に、マウント用ヘッド３０は、光コードで製品１１すなわちセクション１７上でチェツクするためにオンラインでセクション１７の正しい取り込みについての光読取部が接続される。受信や注文の動作について装置２７は、ネットで結合し、ネット装置の一部でさえ、例えば、ロジスティックシステムで組み入れている。
【００２６】
更に、上述のパック１０を製造する方法は、以下にすぐに説明する。装置２７には、多数のローラ３２が、ロールされたブリスタベルトと共に、準備されている。この際、各々のブリスタベルトが単に製品タイプ（同じ服用量で同じ作用物体）を支持し、個々の製品１１毎にブリスタのネスト１８内で分離され置かれる。装置２７には、隙間２９が、例えば、基板１４が、供給される。隙間２９は、患者グループのためにパックグループ（週間パック、月間パック等）を標準化し、白紙又は印刷記入（例えば、週間カレンダ、時間目盛又はその類似物と共に）され、形成される。装置２７は、パック１０の製造業者についての注文が手作り又は自動で行え、この際、患者特定データ（薬、数量等）の注文を含んでいる。データが入力されるやいなや、中の製品１１（一又は多数の製造業者や一又は多数の服用等）が選択され、ロール３２すなわち事前に製造済の製品キャリア１６から裁断され、又は他の方法で分離される。ベルトからの製品キャリア１６すなわちセクション１７は、準備位置部３３のために送られ、多数の軸（例えば、X,Y,Z軸）で可動なマウント用ヘッド３０が受領され基板１４が供給される。基板１４の前には、貼付点又はその類似物が設けられている。この場合、装置から貼付点の位置が、基板１４に備え付けられたセクション１７について生成される。セクション１７は、貼付点から設定され、その結果、セクション１７と基板１４との間の固定接続が行われる。他の接続技術は、場合によっては可能である。基板１４の完全に備え付けの後、光学的方法によってセクション１７の正しい備え付け及び場所決めがチェツクされ、更に、天井要素２１が調達され、その結果、貼付要素として隙間２９の部品が別途供給される。形成されたブリスタ結合１９の多数のセクション１７を持つ備え付けの基板１４は、印刷部３４を供給し、望ましい情報が供給される。引き続き、パック１０は、発送完成して準備される。セクション１７においてブリスタベルトパック又は類似物を広げ、折り畳んで、折り畳まないで、又は他の差出形式が装置２７に在庫があり、作用されるように、細分できる。
【００２７】
メモリ２５内の製造者、患者データ、又は他の情報から光学的に追加の制御や安全ステップが行われる。コード２４によって、更なる試験、又は安全ステップが実行される。記載したように、パック１０の製造が普通の方法で自動に行われる。そのため、注文データ（例えば、レセプト）は装置２７に直接供給されこれから設定され得る。普通の方法で本発明の方法がコンピュータサポートで提供される。
【００２８】
本発明の方法を以下のように抽象的に述べる。
【００２９】
定義された服用期間のための患者個人と共に患者から供給のために、編成された薬Aや
薬Bの需要が提案され、薬Aが多数で、別々、作用、距離、相互に薬Aの配置された例EAから運ばれたストラップCや、薬Bが多数で、別々、作用、距離、相互に薬Bの配置された例EBから運ばれたストラップDが、待機し、ストラップCから区分CAが、薬Aの一又は多数の例EAと、又は／及びストラップDから区分DBが、薬Bの一又は多数の例EBと、譲り渡された区分CAやDBは、基板上にマトリックス性の形成で服用が一致して、配置されている。
【００３０】
前に記載されたパックタイプ及び方法と共に、パックの製造についての装置は、特に効率が良く、コストが有利な方法が薬学的や医学的な製品１１すなわちパック１０から現実的で、次のように記載される。具体的には、本発明の方法は、次のように錠剤からの例に進行（満了）する。分配センタは、患者を特定するパックをこちらへ調整する。注文主は、パック編成のための必要な情報を配達する。情報は、電気的形式において口頭、文字、又は普通の方法で、伝送される。レセプトフリーを求め、薬局の義務のない製品／錠剤が取り扱う間は、注文主として患者自身は、機能し得る。しかし、規則では、情報は、医者が作成し薬局によって直接分配センタに伝送されるレセプトデータを含む。
【００３１】
編成用に望む、個々のパックの内容及び数量に応じて、分配センタは、直接、異なる製造者から配達され得る。この場合のために、錠剤は、原製品として分配センタに配達され、分配センタは、錠剤自体をブリスタベルト内に満たし、その結果、錠剤は、事前に機能するブリスタベルト内で、更に加工処理するために、存在する。そのため、各々のブリスタベルトは、特別な作用物質又は特別な作用物質組み合わせが特別な配量を持つ製品だけを配置している。ブリスタベルト自身からブリスタベルトのネストのごとに錠剤だけが分類される。この事前に製造済のブリスタベルトから個々のパック１０が編成される。普通の場合のために、錠剤は、錠剤の眞の生産者によってブリスタベルトに直接満たされ、製造者はブリスタベルトを配合センタに配達する。
【００３２】
装入すなわち供給分野の後、分配センタは、領域的に整列される。分配センタは、個々のパックの編成及び配達が局部的に定義された周囲において保証される。規則では、幾つかの領域的な分配センタが、直接、製造業者から納入されるように、存在する。しかし、領域経由によって、国又は国際的な分配センタが予定されるのを可能としている。上位に置かれた分配センタは、一又は多数の製造業者からまた原製品としてやブリスタベルト内にパックされた、錠剤を受け取る。それから、ブリスタベルトで原製品を持つ分配センタから満たされたブリスタベルトは、一又は多数の領域的な分配センタ又はロジスティックユニットかのいずれかに直接配達され、この際、ロジスティックユニットも幾分小さいユニットに細分され得る。
【００３３】
パック１０製造する分配センタの納入に依存しないで、後者が流通し、度々異なる製品１１に流布した組み合わせの調合薬剤が貯蔵される。これは、受け入れられた情報のために、経験の価値からその調合薬剤が、分配のための個人のパック１０が必要な蓄えを一定期間持つことを意味する。個々の製品１１が分配センタで在庫すべきでないときでさえ、この製品１１は、短期で製造業者からや上位に置かれた配置センタやロジスティックユニットから受け取られる。
【００３４】
注文主は、注文から転送するために分配センタが網目状結合することが可能である。しかし、eメールで従来の方法によって又は他の通常のコンピュータサポートされた方法によって情報の転送は、行われ得る。受け入れられた注文は、分配センタの中で適正な装置２７によって自動的に及びコンピュータサポートによって、行われ、予め貯蔵されたブリスタベルトから選択された製品１１は、事前に定められた分量で分離され、装置２７から供給された裁断スケール、基板１４、又はその類似物が設定される。そこを通って対応する患者個人のブリスタ結合すなわちパック１０は、引渡から記入、コード、又は他で特徴付けられ試験されるが、特に、電気的に補助手段と共に、行われる。
【００３５】
追加的には、分配センタは、任意で、ロジスティックユニットや上位に置かれた分配センタや製造者が結合される。この結合は、従来の通信手段によって生産すなわち事前ネットが確保される。幾つかの分配センタは、互いに事前にネット化されている。結合によって、特に、製品１１すなわちブリスタベルトは、需要に制御されたり、注文に制御されたり、この又はあらゆるパック１０が生産された分配セントラルに配達される。事前に貯蔵は、重要な製品１１すなわちブリスタベルトが駅の内部で簡易で安全に制御している。
【００３６】
生産されたパック１０は、分配セントラル自身によって、又はロジスティックユニットによって、急使サービスとして、注文主に、例えば、薬局又は患者に直接配達される。
【図面の簡単な説明】
【００３７】
【図１】例示された薬の患者明細書のパックの概略図
【図２】図１における部分IIの拡大図
【図３】例示的な薬の患者明細書の他のパックの概略図
【図４】例示的な薬の患者明細書の他のパックの概略図
【図５】例示的な薬の患者明細書の他のパックの概略図
【図６】図1乃至５に従ったパックの概略断面図
【図７】図1乃至５に従ったパックの製造装置の概略図
【符号の説明】
【００３８】
１１      製品
１４      基板
１６      製品キャリア
１７      セクション
１８      ネスト
１９      ブリスタ複合体
２１      カバー要素
２３      情報
２５      電子部品
２８      輸送要素
２９      隙間
３０      マウント用ヘッド
３１      保持位置
３３      準備位置部
３４      印刷部
【図１】
2009520536.tif 000003
【図２】
2009520536.tif 000004
【図３】
2009520536.tif 000005
【図４】
2009520536.tif 000006
【図５】
2009520536.tif 000007
【図６】
2009520536.tif 000008
【図７】
2009520536.tif 000009
【国際調査報告】
2009520536.tif 000010
2009520536.tif 000011
2009520536.tif 000012
2009520536.tif 000013
2009520536.tif 000014
2009520536.tif 000015